(57)【要約】      （修正有）【課題】段ボールシートの折曲性を確保しつつ、折曲部での中しんの露出を抑制し、膨らみや裏ライナの捲れを防止する段ボールシートの折曲用リード罫を提供する。【解決手段】段ボールシートに、交互に入れた折目１１と切目１２とから成り、これに沿って段ボールシートを折り曲げる。切目１２を両端部が折目１１線上に位置するように円弧状に湾曲させ、折目１１の線上の位置と切目１２の頂部の垂直方向の最大離間距離を段ボールシートの厚さ以下とする。段ボールシートの折曲抵抗が減少し、折り曲げた状態で、切目１２の中央側から両端側へかけて、段ボールシートの切断縁の露出が漸次小さくなるので、折曲部で波形の中しん９が目立つことがなく、美観が保たれる。【選択図】図３
0003166944.tif 000002
【実用新案登録請求の範囲】
【請求項１】
段ボールシートに、交互に入れた折目(11)と切目(12)とから成り、これに沿って段ボールシートを折り曲げる段ボールシートの折曲用リード罫(10)において、前記切目(12)を円弧状に湾曲させ、折目(11)と切目(12)の最大離間距離を段ボールシートの厚さ以下にしたことを特徴とする段ボールシートの折曲用リード罫。
【考案の詳細な説明】
【技術分野】
【０００１】
この考案は、段ボールシートの折曲性向上を図ったリード罫に関するものである。
【背景技術】
【０００２】
箱や緩衝材の材料として使用される段ボールシートは、波形に加工された中しんの両面にライナを貼り付けた構成となっており、中しんの段頂が延びる段目方向に沿って折り曲げることは比較的容易であるが、段目に交差する方向に沿って折り曲げようとすると、抵抗が大きく、折り曲げても反発で戻りやすいという性質を有する。
【０００３】
このような段ボールシートの折曲抵抗を軽減し、折曲部の反発による戻りを抑制する罫線として、一般に、図４に示すようなミシン目状のリード罫５０が使用されている。このリード罫５０は、段ボールシートに交互に入れた一直線上の折目５１と切目５２とから成り、これに沿って段ボールシートを折り曲げるものである。
【０００４】
また、下記特許文献１には、図５に示すように、段ボールシートの折曲性の向上を図ったリード罫６０として、段ボールシートに直線の折目６１とコ字状の切目６２とを交互に入れ、段ボールシートを折り曲げた状態で、切目６２の切断面が段ボールシートの平面部に当接するようにしたものが記載されている。
【先行技術文献】
【特許文献】
【０００５】
【特許文献１】特開２００１−５５２２２号公報
【考案の概要】
【考案が解決しようとする課題】
【０００６】
しかしながら、上記特許文献１に記載のリード罫６０を、段目に交差する方向へ延びるように入れると、段ボールシートを折り曲げた状態で、切目６２の切断縁から露出する波形の中しんが目立ち、美観を損ねるという問題がある。
【０００７】
また、ミシン目状の通常のリード罫５０では、段ボールシートを折り曲げる過程において、段ボールシートが折曲部の裏側で切目５２の両側から互いに押し合って膨らんだり、裏側のライナが捲れたりすることがある。
【０００８】
そこで、この考案は、段ボールシートの折曲性を確保しつつ、折曲部での中しんの露出を抑制し、膨らみや裏ライナの捲れを防止することを課題とする。
【課題を解決するための手段】
【０００９】
上記課題を解決するため、この考案は、段ボールシートに、交互に入れた折目と切目とから成り、これに沿って段ボールシートを折り曲げる段ボールシートの折曲用リード罫において、前記切目を円弧状に湾曲させ、折目と切目の最大離間距離を段ボールシートの厚さ以下にしたのである。
【考案の効果】
【００１０】
この考案に係るリード罫では、切目の存在により、段ボールシートの折曲抵抗が減少するので、段ボールシートを段目と交差する方向に容易に折り曲げることができ、折り曲げた状態で、切目の中央側から両端側へかけて、段ボールシートの切断縁の露出が漸次小さくなるので、折曲部で波形の中しんが目立つことがなく、美観が保たれる。
【００１１】
また、段ボールシートを折り曲げる過程において、切目の両端側から中央側へかけて段ボールシートの裏側で生じる押し合いや擦れが軽減されるので、段ボールシートの折曲部での膨らみや、裏側のライナの捲れが防止される。
【００１２】
また、折目と切目の最大離間距離を段ボールシートの厚さ以下としていることから、切目の部分での突出も抑制される。
【図面の簡単な説明】
【００１３】
【図１】この考案に係るリード罫を使用した段ボール箱の組立状態を示す斜視図
【図２】同上のブランクを示す図
【図３】同上のリード罫に沿った折曲部分を示す拡大斜視図
【図４】従来のミシン目状リード罫の折曲前の状態を示す拡大図
【図５】同上の特許文献１に係るリード罫の折曲前の状態を示す拡大図
【考案を実施するための形態】
【００１４】
以下、この考案の実施形態を添付図面に基づいて説明する。
【００１５】
図１に示す段ボール箱は、薄型の大画面テレビの梱包に使用されるものであり、図２に示すような段ボールシートのブランクから形成される。図２のブランクでは、段ボールの段目が上下方向へ向き、各一対の広面板１及び狭面板２が交互に連設され、一方の広面板１の外側端には継代片３が、狭面板２の上下端には内フラップ４が、広面板１の上下端には外フラップ５がそれぞれ連設されている。
【００１６】
広面板１と外フラップ５の境界には、リード罫１０が入れられ、このリード罫１０は、交互に入れた折目１１と切目１２とから構成されている。
【００１７】
折目１１は、段ボールシートを裏面から押圧した直線の押罫とされ、切目１２は、段ボールシートを表裏に貫通するものであり、円弧状に一定の曲率で湾曲している。折目１１と切目１２の最大離間距離ｍは、段ボールシートの厚さ以下に設定されている。
【００１８】
また、広面板１の下端両側部には、脚片６が下方の外フラップ５をコ字状に切り込んで突設され、狭面板２と内フラップ４との境界の罫線は、狭面板２の中央側が窪むようにＶ字状に屈曲し、狭面板２の上端中央部には、側当片７が内フラップ４をコ字状に切り込んで突設されている。そのほか、狭面板２の中間上部には、取手穴８が設けられている。
【００１９】
上記のようなブランクを組み立ててテレビを梱包するには、図１に示すように、各一対の広面板１及び狭面板２を折り曲げて、継代片３を反対側の広面板１に貼り付け、下方の内フラップ４及び外フラップ５を順次折り重ねて底面を閉止し、テレビを箱内に収納した後、上方の内フラップ４及び外フラップ５を順次折り重ねて天面を閉止する。
【００２０】
この組み立てに際し、広面板１と外フラップ５の境界にリード罫１０を入れていることから、段ボールシートの折曲抵抗が減少するので、この実施形態に係る薄型大画面テレビの収納箱のように、広面板１と外フラップ５の境界長さが長大で、外フラップ５の延出長さが短い場合でも、段ボールシートを容易に折り曲げることができる。
【００２１】
そして、図３に示すように、広面板１と外フラップ５とを、リード罫１０に沿って折目１１を軸に折り曲げた状態で、切目１２の中央側から両端側へかけて、段ボールシートの切断縁の露出が漸次小さくなるので、箱の長さ方向の稜線となる折曲部で波形の中しん９が目立つことがなく、美観が保たれる。
【００２２】
また、段ボールシートをリード罫１０に沿って折り曲げる過程において、切目１２の湾曲により、切目１２の両端側から中央側へかけて段ボールシートの裏側で生じる押し合いや擦れが軽減されるので、段ボールシートの折曲部での膨らみや、裏側のライナの捲れが防止され、不自然な変形や損傷のない折曲部を形成できる。
【００２３】
また、図２に示すように、折目１１と切目１２の最大離間距離ｍを段ボールシートの厚さ以下としていることから、図３に示す折曲状態において、切目１２の中央部の外側への突出も抑制される。
【００２４】
上記のように組み立てた段ボール箱は、図１に示すように、脚片６が下方へ突出して、起立状態の安定性が高められ、また、側当片７が上方へ突出して、外フラップ５の突合部分のずれが防止され、箱の組立形状が直方体に保持される。
【００２５】
なお、上記実施形態では、リード罫１０を、底面及び天面が閉じられる段ボール箱の外フラップの基端に適用した例を示したが、リード罫１０は、キャベツ等の農産物の梱包箱のように、天面に開口部が残存するショートフラップ形式の段ボール箱のフラップの基端や、廃棄に伴う折畳用の捨罫に適用することもできる。
【符号の説明】
【００２６】
１  広面板
２  狭面板
３  継代片
４  内フラップ
５  外フラップ
６  脚片
７  側当片
８  取手穴
９  中しん
１０  リード罫
１１  折目
１２  切目
【図１】
0003166944.tif 000003
【図２】
0003166944.tif 000004
【図３】
0003166944.tif 000005
【図４】
0003166944.tif 000006
【図５】
0003166944.tif 000007
【手続補正書】
【提出日】平成23年1月28日(2011.1.28)
【手続補正１】
【補正対象書類名】実用新案登録請求の範囲
【補正対象項目名】請求項１
【補正方法】変更
【補正の内容】
【請求項１】
段ボールシートに、交互に入れた折目(11)と切目(12)とから成り、これに沿って段ボールシートを折り曲げる段ボールシートの折曲用リード罫(10)において、前記切目(12)をその両端部が折目(11)の線上に位置するように円弧状に湾曲させ、折目(11)の線上の位置と切目(12)の頂部の垂直方向の最大離間距離(ｍ)を段ボールシートの厚さ以下にしたことを特徴とする段ボールシートの折曲用リード罫。